(57)【要約】【課題】防煙たれ壁の防煙パネルにおいて、シワや撓みの発生を防止するための防煙シートへのテンション付与作業を習熟度等に関係なく誰でも正確かつスムーズに行うことができ、施工後も適切なテンションが維持される構成及び組立方法を提供すること。【解決手段】防煙パネル１は、可撓性を有する防煙シート２５と、防煙シート２５の上端部を固定する上枠２２と、防煙シート２５の下端部を固定する挟持部材（固定部材）６１と、防煙シート２５を挟持した挟持部材６１が内部に収容される下枠２３と、下枠２３の内部で挟持部材６１を下方に付勢する付勢部材６５と、付勢部材６５によって付勢される挟持部材６１を上方に押圧する押圧位置から挟持部材６１への押圧を解除又は弱める退避位置に移動可能なネジ（保持部材）７０と、を備える。【選択図】図７
2018139786.tif 000002
【特許請求の範囲】
【請求項１】
防煙たれ壁に用いられる防煙パネルであって、
可撓性を有する防煙シートと、
前記防煙シートの上端部を固定する上枠と、
前記防煙シートの下端部を固定する固定部材と、
前記防煙シートを固定した前記固定部材が内部に収容される下枠と、
前記下枠の内部で前記固定部材を下方に付勢する付勢部材と、
前記付勢部材によって付勢される前記固定部材を上方で一時的に保持する保持部材と、
を備える防煙パネル。
【請求項２】
前記保持部材は、前記固定部材を上方に押圧する押圧位置から前記押圧を解除又は弱める退避位置に移動可能に構成される請求項１に記載の防煙パネル。
【請求項３】
前記下枠の前記付勢部材に対応する位置にはネジ孔が形成されており、
前記保持部材は、前記ネジ孔から締結され、前記押圧位置では前記下枠の内部で前記固定部材を上方に押し上げ、前記退避位置では前記下枠から締結が緩められて前記退避位置に移動するネジである請求項２に記載の防煙たれ壁。
【請求項４】
前記保持部材は、前記押圧位置において前記付勢部材の下方に配置される請求項２又は３に記載の防煙たれ壁。
【請求項５】
防煙たれ壁に用いられる防煙パネルの組立方法であって、
下端部が固定部材によって固定される防煙シートに、前記固定部材を下方に付勢する付勢部材が内部に設けられる下枠を取り付ける工程と、
前記付勢部材によって付勢される前記固定部材を保持部材によって上方で一時的に保持する工程と、
少なくとも前記防煙シートの上端部に上枠が固定された状態で、前記保持部材による前記固定部材の一時的な保持を解除する工程と、を含む防煙パネルの組立方法。
【発明の詳細な説明】
【技術分野】
【０００１】
本発明は、防煙たれ壁に用いられる防煙パネルに関する。
【背景技術】
【０００２】
従来、可撓性を有する防煙シートを有する防煙パネルによって防煙区画を形成する防煙たれ壁において、不燃性の防煙シートの四方を枠材で固定し、矩形状にしたものが多く市場投入されている。四方を枠で固定した構造においても、雰囲気温度の変化によって防煙シートが伸長し、シワや撓みが防煙シートに生じることがある。また、防煙シートの自重によりある程度張りを有するが、設置場所によっては風等の影響によって大きなはためきが生じることもある。このような現象の発生を防止するために、防煙シートを直接的又は間接的に引っ張って防煙シートに張力を与する構造を有するものが知られている。この種の防煙たれ壁を開示するものとして例えば特許文献１や特許文献２がある。
【０００３】
特許文献１では、下端部に位置する下枠に防煙シートに張力を付与する付勢部材を組み込む構造を有する防煙たれ壁について記載されている。特許文献２では、縦枠に端部金具を介して横方向で防煙シートを張るとともに下部に配置された付勢部材（ばね）により防煙シートに張力を付与する構成について記載されている。
【先行技術文献】
【特許文献】
【０００４】
【特許文献１】特開２０１３−１４６４７１号公報
【特許文献２】特開２０１５−０２９６３４号公報
【発明の概要】
【発明が解決しようとする課題】
【０００５】
特許文献１や特許文献２に記載される構成では、付勢部材（ばね）を下枠に配置し、防煙シートに張力を付与する構成になっているため、パネルの四周を囲む枠材を組み立てた後に防煙シートに適切に張力が付与されるように付勢部材を挿入する必要がある。付勢部材を後入れするためには、付勢部材としての下枠内にある程度遊びが必要になるが、当該遊びが大きければ防煙シートに十分に張力を与えることができないおそれがあるので、設定が困難であるとともに人為的バラツキも生じてしまう。例えば、作業者の作業の習熟度によっては付勢部材を入れたものの、当該付勢部材による張力が防煙シートに適切に付与されない状態となってしまうことが考えらえる。作業者が、熟練度によらず安定して防煙シートを張ることができるような組立性の向上という点で改善の余地があった。
【０００６】
本発明は、防煙たれ壁の防煙パネルにおいて、シワや撓みの発生を防止するための防煙シートへのテンション付与作業を習熟度等に関係なく誰でも正確かつスムーズに行うことができ、施工後も適切なテンションが維持される構成及び組立方法を提供することを目的とする。
【課題を解決するための手段】
【０００７】
防煙たれ壁に用いられる防煙パネル（例えば、後述の防煙パネル１，２０１，３０１）であって、可撓性を有する防煙シート（例えば、後述の防煙シート２５）と、前記防煙シートの上端部を固定する上枠（例えば、後述の上枠２２）と、前記防煙シートの下端部を固定する固定部材（例えば、後述の挟持部材６１，３６１）と、前記防煙シートを固定した前記固定部材が内部に収容される下枠（例えば、後述の下枠２３）と、前記下枠の内部で前記固定部材を下方に付勢する付勢部材（例えば、後述の付勢部材６５，３６５）と、  前記付勢部材によって付勢される前記固定部材を上方で一時的に保持する保持部材（例えば、後述のネジ７０）と、を備える防煙パネルに関する。
【０００８】
前記保持部材は、前記固定部材を上方に押圧する押圧位置から前記押圧を解除又は弱める退避位置に移動可能に構成されることが好ましい。
【０００９】
前記下枠の前記付勢部材に対応する位置にはネジ孔（例えば、後述のネジ孔６６）が形成されており、前記保持部材は、前記ネジ孔から締結され、前記押圧位置では前記下枠の内部で前記固定部材を上方に押し上げ、前記下枠から締結が緩められて前記退避位置に移動するネジ（例えば、後述のネジ７０）であることが好ましい。
【００１０】
前記保持部材は、前記押圧位置において前記付勢部材の下方に配置されることが好ましい。
【００１１】
防煙たれ壁に用いられる防煙パネル（例えば、後述の防煙パネル１，２０１，３０１）の組立方法であって、下端部が固定部材（例えば、後述の挟持部材６１，３６１）によって固定される防煙シート（例えば、後述の防煙シート２５）に、前記固定部材を下方に付勢する付勢部材（例えば、後述の付勢部材６５，３６５）が内部に設けられる下枠（例えば、後述の下枠２３）を取り付ける工程と、前記付勢部材によって付勢される前記固定部材を保持部材（例えば、後述のネジ７０）によって上方で一時的に保持する工程と、少なくとも前記防煙シートの上端部に上枠（例えば、後述の上枠２２）が固定された状態で、前記保持部材による前記固定部材の一時的な保持を解除する工程と、を含む防煙パネルの組立方法に関する。
【発明の効果】
【００１２】
本発明の防煙パネル及びその組立方法によれば、シワや撓みの発生を防止するための防煙シートへのテンション付与作業を習熟度等に関係なく誰でも正確かつスムーズに行うことができ、施工後も適切なテンションが維持される。
【図面の簡単な説明】
【００１３】
【図１】本発明の一実施形態に係る防煙パネルにおける防煙シートへのテンション付与前の状態を示す姿図である。
【図２】本実施形態の防煙パネルにおける防煙シートへのテンション付与前の状態を示す横断面図であり、図１のＡ−Ａ線断面図である。
【図３】本実施形態の防煙パネルにおける防煙シートへのテンション付与前の状態を示す縦断面図であり、図１のＢ−Ｂ線断面図である。
【図４】本実施形態の下枠内部におけるテンション付与前のテンション付与装置を示す模式図である。
【図５】本実施形態の防煙パネルにおける防煙シートへのテンション付与後の状態を示す姿図である。
【図６】本実施形態の防煙パネルにおける防煙シートへのテンション付与後の状態を示す縦断面図であり、図５のＢ’−Ｂ’線断面図である。
【図７】本実施形態の下枠内部におけるテンション付与後のテンション付与装置を示す模式図である。
【図８】本実施形態の防煙パネルの組立方法の手順を示した模式図である。
【図９】本実施形態の防煙シートの縦断面図である。
【図１０】第１変形例の防煙パネルの横断面図である。
【図１１】第２変形例の防煙パネルの横断面図である。
【図１２】第３変形例の防煙パネルにおける防煙シートへのテンション付与前の状態を示す縦断面図である。
【図１３】第３変形例のテンション付与装置のテンション付与前の状態を示す拡大縦断面図である。
【図１４】第３変形例の下枠内部におけるテンション付与前のテンション付与装置を示す模式図であり、図１３のＣ−Ｃ線断面図である。
【図１５】第３変形例の防煙パネルにおける防煙シートへのテンション付与後の状態を示す縦断面図である。
【図１６】第３変形例のテンション付与装置のテンション付与後の状態を示す拡大縦断面図である。
【図１７】第３変形例の下枠内部におけるテンション付与後のテンション付与装置を示す模式図であり、図１６のＣ’−Ｃ線断面図である。
【発明を実施するための形態】
【００１４】
以下、本発明の好ましい実施形態について、図面を参照しながら説明する。本実施形態の防煙パネル１は、建物内部の天井、壁又は柱の間に配置され、防煙区画を形成する防煙たれ壁に用いられるものであり、施工後に所定のタイミングで防煙シート２５にテンションを付与できる構成を実現したものである。まず、防煙シートへのテンション付与前の防煙パネル１について説明する。
【００１５】
図１は、本発明の一実施形態に係る防煙パネル（防煙パネル）１における防煙シート２５へのテンション付与前の状態を示す姿図である。なお、図１では、１枚の防煙パネル１が図示されているが、該防煙パネル１は複数枚横方向に天井から吊り下げ連設して防煙たれ壁として構成するものである。
【００１６】
図１に示すように、防煙パネル１は左右の縦枠２１、上枠２２及び下枠２３により四周を囲まれた防煙シート２５により構成されるパネルである。防煙シート２５は、不燃性で可撓性を有する材料で構成され、透明又は半透明のものが用いられる。
【００１７】
図２は、本実施形態の防煙パネル１における防煙シート２５へのテンション付与前の状態を示す横断面図であり、図１のＡ−Ａ線断面図である。図２に示すように、左右の縦枠２１は、その内側が中空になっている。縦枠２１の側面（見込面）には中空部に連通するスリット３５が形成される。スリット３５を通じて防煙シート２５の横方向の端部が縦枠２１の中空部に差し込まれる。
【００１８】
縦枠２１の中空部にはスリット３５よりも大きく形成される抜け止め部材３１が配置される。抜け止め部材３１は、断面略Ｕ字状に形成される第１固定部材３２と、断面略Ｌ字状に形成される第２固定部材３３と、からなる。防煙シート２５の横方向の一側の端部が縦枠２１の内側で、第１固定部材３２と第２固定部材３３により防煙パネル１の厚さ方向（見込方向）で挟み込まれることにより、防煙シート２５が風圧を受けても該防煙シート２５の縦枠２１からの脱落が防止される。
【００１９】
本実施形態の抜け止め部材３１は、その見込方向の幅（第１固定部材３２と第２固定部材３３をあわせた幅）が、縦枠２１の中空部の見込方向の幅に略一致するように構成される。より具体的には、第１固定部材３２のＵ字の開口に相当する側が見込方向の外側を向いており、端部が縦枠２１の内壁に当接している。また、第２固定部材３３のＬ字の端部に相当する部分の先端が縦枠２１の内壁（第１固定部材３２が接触する内壁とは反対側の内壁）に当接している。また、本実施形態のスリット３５の第１固定部材３２側の端部には内側に屈曲する屈曲部３４が形成されており、該屈曲部３４の先端部が第１固定部材３２の見込面に接触している。
【００２０】
縦枠２１は、壁又は連設される他の防煙パネル（何れも図示省略）に固定される。例えば、横方向に防煙パネル１を連設する場合、壁に対向するように配置される防煙パネル１の一側の縦枠２１が壁に固定され、他側の縦枠２１が隣接する防煙パネル１に固定されることになる。また、横方向に長尺の防煙パネル１枚で防煙区画を形成する場合は、防煙パネル１の一側の縦枠２１が壁（又は柱）に固定されるとともに他側の縦枠２１も別の壁（又は柱）に固定される。あるいは、防煙パネル１の両側の縦枠２１のそれぞれが、隣接する防煙たれ壁に固定される場合もある。
【００２１】
防煙シート２５の横方向の張力（耐張力）は防煙パネル１の幅（上枠２２及び下枠２３の長手方向の長さ）によって調整される。本実施形態では、防煙シート２５が左右の縦枠２１によって適切な張力で引っ張られることにより、シワや撓み等の発生が抑制される。
【００２２】
上枠２２は、天井５に天井枠、フック部材やネジ等の締結部材（いずれも図示省略）を介して固定される。上枠２２は、防煙シート２５の上端部を見込方向で挟み込む上枠本体４１と上枠シート保持部４２からなる。なお、上枠２２を直接的に天井５に固定する構成としてもよい。
【００２３】
図３は、本実施形態の防煙パネル１における防煙シート２５へのテンション付与前の状態を示す縦断面図であり、図１のＢ−Ｂ線断面図である。図４は、本実施形態の下枠２３内部におけるテンション付与前のテンション付与装置６０を示す模式図である。図４では、防煙パネル１の正面側から見た下枠２３の内部の様子が模式的に示されている。
【００２４】
図３及び図４に示すように、下枠２３は、その内側が中空になっている。下枠２３の上面（見込面）には中空部に連通するスリット５０が形成される。スリット５０を通じて防煙シート２５の下端部が下枠２３の中空部に差し込まれる。
【００２５】
下枠２３の中空部には防煙シート２５に張力を付与するためのテンション付与装置６０が配置される。テンション付与装置６０は、防煙シート２５の下端部に固定される挟持部材６１と、下枠２３の内側で挟持部材６１を下側に付勢する付勢部材６５と、挟持部材６１を上方に押圧するネジ７０と、を備える。
【００２６】
本実施形態の挟持部材６１は、断面略Ｕ字状に形成される第１固定部材７１と、板状に形成される第２固定部材７２と、から構成される。第１固定部材７１と第２固定部材７２によって防煙シート２５の下端部が見込方向で挟み込まれることにより、防煙シート２５の下枠２３からの脱落が防止される。本実施形態のスリット５０の第１固定部材７１側の端部には内側に屈曲する屈曲部７４が形成されており、該屈曲部７４の先端部が第１固定部材７１の見込面に接触している。挟持部材６１は、防煙シート２５の幅に対応しており、全体として下枠２３の長手方向に沿って延びる長尺の部材となっている。
【００２７】
図４に示すように、本実施形態の付勢部材６５は板ばねである、付勢部材６５の一側の端部がネジ（図示省略）等の締結部材により、第１固定部材７１（挟持部材６１）の上面に固定される。本実施形態では、付勢部材６５は、板ばねの一側が固定されることにより、下枠２３の内部における付勢部材６５の位置を固定しつつ、弾性変形時に他側の端部が第１固定部材７１の上面で移動することで付勢部材６５の変形を許容している。
【００２８】
付勢部材６５の上部は、下枠２３の中空部の天井部分に接触しており、該付勢部材６５の弾性力により、挟持部材６１が下方に押圧されている。
【００２９】
ネジ７０は、下枠２３の底面に形成されたネジ孔６６から締結されており、その先端が第１固定部材７１（挟持部材６１）の下面に当接している。図１に示すように、本実施形態の付勢部材６５は、下枠２３の長手方向で間隔をあけて２個（複数）配置されており、ネジ７０も付勢部材の位置にあわせて長手方向で間隔をあけて２個配置されている。
【００３０】
ネジ７０の先端が第１固定部材７１（挟持部材６１）に接触している状態では、付勢部材６５が自然状態よりも撓んだ状態（上下方向の長さが短い状態）となっている。この状態におけるネジ７０の位置を押圧位置とする。図１から図４に示すように、ネジ７０が押圧位置にある状態では、付勢部材６５が自然状態よりも縮んで挟持部材６１が押し上げられた状態である。この状態では、防煙シート２５にテンション付与装置６０によるテンションが付与されていない又はシワや撓みを取り除くために設定されている強さよりも弱い状態のテンションが付与された状態である。第１固定部材７１（挟持部材６１）の支持が解除される退避位置にネジ７０が移動することにより、テンション付与装置６０による下方向へのテンションが防煙シート２５に付与される。
【００３１】
次に、テンション付与装置６０によってテンションが付与された状態について説明する。図５は、本実施形態の防煙パネル１における防煙シート２５へのテンション付与後の状態を示す姿図である。図６は、本実施形態の防煙パネル１における防煙シート２５へのテンション付与後の状態を示す縦断面図であり、図５のＢ’−Ｂ’線断面図である。図７は、本実施形態の下枠２３内部におけるテンション付与後のテンション付与装置６０を示す模式図である。図５から図７では、保持部材としてのネジ７０が退避位置にある状態が示されている。
【００３２】
図５〜図７に示すように、ネジ７０を下枠２３から工具等を用いて除去することにより、挟持部材６１の支持が解除され、付勢部材６５の弾性力によって挟持部材６１が下方に移動する（図７の矢印参照）。挟持部材６１の下方への移動に伴って防煙シート２５の下端部が下側に引っ張られる状態となる（図１参照）。防煙シート２５が下側に引っ張られることにより、防煙シート２５のシワや撓みも解消される。テンション付与装置６０によって付与される防煙シート２５へのテンションは、付勢部材６５、挟持部材６１、下枠２３の形状によって機械的かつ正確に設定することができるため、製品によりテンションがばらつく事態も防止される。
【００３３】
次に、上記実施形態の防煙パネル１の施行方法について説明する。図８は、本実施形態の防煙パネル１の組立方法の手順を示した模式図である。図８中の鎖線の矢印は手順を示すものとする。図９は、本実施形態の防煙シート２５の縦断面図である。なお、以下の説明において、図示していなくても上記実施形態と共通又は同様の構成については同じ符号を付して説明することがある。例えば、図９に示す挟持部材６１の第２固定部材７２は、略Ｌ字状に形成されているが、板状に形成される上記実施形態の第２固定部材７２と同様の機能であり、同じ符号を付している。
【００３４】
図８に示すように、下端部に挟持部材６１、左右両側には抜け止め部材３１が配置されるとともに、防煙シート２５を用意する。この防煙シート２５の挟持部材６１の上面に付勢部材６５を長手方向で２つ間隔をあけて固定する。そして、符号１０１の鎖線の矢印に示すように、挟持部材６１の長手方向全域を覆うように下枠２３を被せる。下枠２３には、上述の通り、防煙シート２５を通すことができるスリット５０が形成されているので、防煙シート２５を挟み込んだままで挟持部材６１を下枠２３の内側にスライド挿入することが可能となっている。
【００３５】
次に、符号１０２の鎖線に示すように、下枠２３のネジ孔６６に配置されているネジ７０を締め込む。ネジ７０の鉛直上に付勢部材６５が位置している。続いて符号１０３の鎖線に示すように、防煙シート２５の左右両側の端部に縦枠２１を上方よりスライドさせる。このとき、防煙シート２５の端部がスリット３５を通るようにしつつ、抜け止め部材３１が縦枠２１の内側に入るようにスライドさせる。なお、抜け止め部材３１は、符号１０１〜１０３の手順の前に予め防煙シート２５に固定されたものである。
【００３６】
次に、符号１０４の鎖線に示すように、防煙シート２５の上端部を上方に引っ張りながら上枠２２で挟持する。より具体的には、上枠本体４１と上枠シート保持部４２で防煙シート２５の上端部を挟み込んだ状態でネジ（図示省略）を締結し、上枠２２の両側を機械的又は接着等、適宜の手段で縦枠２１と結合する。これにより、防煙シート２５の四周が枠材により囲われた状態となる。枠材のコーナー部分は、タッピングホール、タッピングネジにより締結してもよい。この状態が図１〜図４に示すテンション付与前の防煙パネル１の状態である。なお、防煙たれ壁の横枠としての上枠、下枠の縦枠への接続方式は、いわゆる横勝ちであってもよいし、縦勝ちであってもよい。
【００３７】
そして、符号１０５の矢印に示すように、ネジ７０を取り外してテンション付与装置６０によるテンションを防煙シート２５に付与する。この状態が図５〜図７に示すテンション付与後の防煙パネル１の状態である。このように、最終的にネジ７０を取り外して付勢部材６５による付勢力を作用させることで、防煙シート２５に下方への張力を付与させることができるのである。
【００３８】
以上説明した上記実施形態によれば、以下のような効果を奏する。
防煙パネル１は、可撓性を有する防煙シート２５と、防煙シート２５の上端部を固定する上枠２２と、防煙シート２５の下端部を固定する固定部材としての挟持部材６１と、防煙シート２５を挟持した挟持部材６１が内部に収容される下枠２３と、下枠２３の内部で挟持部材６１を下方に付勢する付勢部材６５と、付勢部材６５によって付勢される挟持部材６１を上方で一時的に保持する保持部材としてのネジ７０と、を備える。
また、防煙パネル１の組立方法は、下端部が挟持部材６１によって固定される防煙シート２５に、挟持部材６１を下方に付勢する付勢部材６５が内部に設けられる下枠２３を取り付ける工程と、付勢部材６５によって付勢される挟持部材６１を保持部材としてのネジ７０によって上方に押圧する工程と、防煙シート２５の上端部に上枠２２が固定されるとともに左右に縦枠２１が固定された状態で、挟持部材６１の押圧を解除又は弱めて防煙シート２５に付勢部材６５によるテンションが付与されるようにネジ７０を移動させる工程と、を含む。
【００３９】
これにより、確実かつ容易に防煙シート２５に適切な張力を付与することができ、また、作業の習熟度に関わらず、誰が組み立てても張力のバラツキが生じない。防煙パネル１の組立作業が容易となるので、作業時間も短縮することができる。組立後には、ネジ７０による押圧が解除されて常に適切な張力が付与される状態となるため、取付け後の張力調整を行う必要も基本的になくなる。防煙シート２５に経年劣化や環境変化等によって伸縮が生じても常に一定の張力を防煙シート２５に付与できる防煙パネル１の組立作業の容易化をシンプルな構成で実現できるのである。
【００４０】
また、本実施形態では、保持部材としてのネジ７０は、付勢部材６５によって付勢される挟持部材６１を上方に押圧する押圧位置から挟持部材６１への押圧を解除又は弱めて防煙シート２５に付勢部材６５の付勢力によるテンションを付与する退避位置に移動可能に構成される。
【００４１】
これにより、ネジ７０を押圧位置から退避位置に移動させるだけで防煙シート２５にテンションが適切に付与される状態とすることができ、組立作業を間違いなく行うことができる。
【００４２】
また、本実施形態では、下枠２３の付勢部材６５に対応する位置にはネジ孔６６が形成されており、ネジ孔６６に締結されるネジ７０は、押圧位置では下枠２３の内部で挟持部材６１を上方に押し上げ、下枠２３から締結が緩められて退避位置に移動する。
【００４３】
これにより、ネジ７０の締結及び締結の解除という容易な作業でテンションを付与するタイミングを調整することができる。また、美観の観点からはテンション付与後のネジ７０は取り外してしまうことが好ましいが、ネジ７０を緩める程度を調整することで防煙シート２５に付与するテンションの強弱を調整することもできる。本実施形態のような構成では、ネジ７０を押圧位置から少し緩めた状態を維持すれば防煙シート２５が引っ張られる量が相対的に小さくなり、ネジ７０を下枠２３から完全に取り外した状態では相対的に防煙シート２５が引っ張られる量が大きくなる。これによってシワや撓みの程度を調整することもできる。
【００４４】
また、本実施形態では、ネジ７０は、押圧位置において付勢部材６５の下方に配置される。
【００４５】
これにより、ネジ７０の押圧力を挟持部材６１に効率的に伝達でき、挟持部材６１を上方の適切な位置で正確に保持することができ、テンション付与前に防煙シート２５にテンションが掛かるような事態も確実に防止でき、よりスムーズに組立作業を行うことができる。
【００４６】
以上、本発明の好ましい実施形態について説明したが、本発明は、上述の実施形態に制限されるものではなく、適宜変更が可能である。なお、以下の上記実施形態の変形例の説明において、上記実施形態と共通又は同様の構成については同じ符号を付してその説明を省略する場合がある。
【００４７】
上記実施形態の構成に限定されず、縦枠２１の構成も適宜変更することができる。図１０は、第１変形例の防煙パネル１の横断面図である。図１０に示すように、変形例の防煙パネル１では、縦枠２１の内側に、第１固定部材３２（挟持部材６１）を左右方向外側に付勢する付勢部材（板ばね）２１０が配置される。この付勢部材２１０により、防煙シート２５は左右方向でもテンションを付与できる状態となる。設置場所や部品の公差等があっても付勢部材（板ばね）２１０によって防煙シート２５の左右方向に適切な張力を付与することができる。
【００４８】
また、縦枠２１や縦枠２１の内部に配置される抜け止め部材３１についても、その構成を適宜変更することができる。図１１は、第２変形例の防煙パネル１の横断面図である。図１１に示すように、第２変形例の防煙パネル２０１の左右両側の縦枠２２１は、その内側に中空部が形成され、側面（見込面）には中空部に連通するスリット２３５が形成される。そして、縦枠２２１の内側に配置される抜け止め部材２３１は、ブロック状の第１固定部材２３２と板状の第２固定部材２３３からなり、第１固定部材２３２と第２固定部材２３３によって防煙シート２５の左右両側の端部がそれぞれ見込方向で挟持される。
【００４９】
また、上記実施形態では、付勢部材６５として省スペース性に優れた板ばねが用いられているが、この構成に限定されず、復元力を有するような他の形状の弾性部材を適用することもできる。次に、上記実施形態及び変形例とは異なる構成の付勢部材を用いた第３変形例について説明する。
【００５０】
図１２は、第３変形例の防煙パネル３０１における防煙シート２５へのテンション付与前の状態を示す縦断面図である。図１３は、第３変形例のテンション付与装置３６０のテンション付与前の状態を示す拡大縦断面図である。図１４は、第３変形例の下枠２３内部におけるテンション付与前のテンション付与装置３６０を示す模式図である。図１２から図１４では、保持部材としてのネジ７０が押圧位置にあり、後述する挟持部材３６１が上方に押し上げられている状態が示されている。
【００５１】
図１２に示すように、第３変形例の防煙パネル３０１は、下枠２３の内部に配置されるテンション付与装置３６０の構成が上記実施形態の構成と異なっている。
【００５２】
図１３及び図１４に示すように、テンション付与装置３６０は、防煙シート２５の下端部に固定される挟持部材３６１と、下枠２３の内側で挟持部材３６１を下側に付勢する付勢部材３６５と、挟持部材６１を上方に押し上げるネジ７０と、を備える。
【００５３】
挟持部材３６１は、断面略Ｌ字状に形成される第１固定部材３７１と、板状に形成される第２固定部材７２と、から構成される。第１固定部材３７１と第２固定部材３７２によって防煙シート２５の下端部が見込方向で挟み込まれた状態で固定される。第１固定部材３７１の防煙シート２５の挟持面の反対側には、付勢部材３６５を収容する収容部３６７が形成される。
【００５４】
付勢部材３６５は、いわゆるコイルばねであり、軸方向が防煙パネル３０１の厚み方向（見込方向）を向いた状態で第１固定部材３７１の収容部３６７に配置されている。挟持部材３６１には、第１固定部材３７１及び第２固定部材３７２を見込方向で貫通するネジ３６６が締結される。ネジ３６６の先端は、第２固定部材３７２側から第１固定部材３７１の収容部３６７に達しており、付勢部材３６５の内側を挿通した状態となっている。付勢部材３６５は、長手方向に間隔をあけて複数配置される（図１４では２個の付勢部材３６５が図示される）。
【００５５】
付勢部材３６５は、一側の端部が第１固定部材３７１の収容部３６７を形成する内壁に接触しており、他側の端部（上端部）が下枠２３の中空部の天井部分に接触しており、該付勢部材３６５の弾性力により挟持部材３６１が下方に押圧されている。
【００５６】
ネジ７０は、上記実施形態と同様に、その先端が第１固定部材３７１（挟持部材３６１）の下面に当接している。第３変形例のネジ７０も付勢部材３６５の位置にあわせて長手方向で間隔をあけて２個配置されている。当該ネジ７０が保持部材として機能し、挟持部材３６１が上方に押し上げられた状態となっている。
【００５７】
次に、テンション付与装置３６０によってテンションが付与された状態について説明する。図１５は、第３変形例の防煙たれ壁における防煙シート２５へのテンション付与後の状態を示す縦断面図である。図１６は、第３変形例のテンション付与装置３６０のテンション付与後の状態を示す拡大縦断面図である。図１７は、第３変形例の下枠２３内部におけるテンション付与後のテンション付与装置３６０を示す模式図であり、図１６のＣ’−Ｃ線断面図である。
【００５８】
図１５〜図１７に示すように、保持部材としてのネジ７０が下枠２３から取り除かれて退避位置に移動することにより、挟持部材３６１への押圧が解除された状態となる。ネジ７０の支持を失った挟持部材３６１は、付勢部材３６５の弾性力によって下方に移動し、防煙シート２５にテンションが付与された状態となる。
【００５９】
以上説明した第３変形例の防煙パネル３０１においても、上記実施形態と同様の方法で組立可能であり、上記実施形態と同様の効果を奏する。更に、以下のように上記実施形態及び変形例の構成を変更することもできる。
【００６０】
また、上記実施形態及び変形例では、いずれもネジにより下側から挟持部材を押し上げる構成であるが、挟持部材を押し上げる構成は事情に応じて適宜変更することができる。例えば、下枠の上側から締結されるネジによって挟持部材を上方に保持させておき、施工後にネジを外して付勢部材の付勢を作用させる構成としてもよい。
【００６１】
また、上記実施形態では、保持部材としてネジ７０を例に説明したが、保持部材の構成はこれに限定されない。例えば、楔型の保持部材により挟持部材（固定部材）を押圧位置で保持した状態で防煙パネルの組立作業を行い、最終的に楔型の保持部材を下枠から取り除く退避位置に移動させることで、付勢部材によるテンションを防煙シートに付与させる構成としてもよい。また、保持部材として、断面が偏芯した略楕円形状の軸状部材を下枠の内部に通しで配置し、押圧位置では軸状部材の楕円を縦向きにして挟持部材を押し上げ、退避位置では楕円が横向きになるように軸状部材を回転して挟持部材の押圧を解除又は緩める構成としてもよい。この構成では、施工作業後も保持部材としての軸状部材は下枠の内部に放置しておいてもよい。このように、防煙シートの下端部を挟持する固定部材を押圧位置から退避位置に移動させるための構成も事情に応じて適宜変更することができる。
【符号の説明】
【００６２】
１，２０１，３０１  防煙パネル
２２  上枠
２３  下枠
２５  防煙シート
６１，３６１  挟持部材（固定部材）
６５，３６５  付勢部材
７０  ネジ（保持部材）
【図１】
2018139786.tif 000003
【図２】
2018139786.tif 000004
【図３】
2018139786.tif 000005
【図４】
2018139786.tif 000006
【図５】
2018139786.tif 000007
【図６】
2018139786.tif 000008
【図７】
2018139786.tif 000009
【図８】
2018139786.tif 000010
【図９】
2018139786.tif 000011
【図１０】
2018139786.tif 000012
【図１１】
2018139786.tif 000013
【図１２】
2018139786.tif 000014
【図１３】
2018139786.tif 000015
【図１４】
2018139786.tif 000016
【図１５】
2018139786.tif 000017
【図１６】
2018139786.tif 000018
【図１７】
2018139786.tif 000019